(57)【要約】【課題】二方弁や三方弁等の，外部の配管と内部の配管とを連結させる連結配管部材を側板に直接取り付けることが可能であり，なおかつ前記側板の取り外しが可能である空気調和機の室外機を提供すること。【解決手段】三方弁３Ｖには外部の配管に接続される第２接続部２ａ及び２ｂが，二方弁２Ｖは前記第２接続部２ａのみが設けられる。また，弁内における流体の流れを制御する流れ制御手段が接続可能な第３接続部３が形成されている。前記二方弁２Ｖ及び前記三方弁３Ｖの取り付け対象である側板Ｘ２には，前記第２接続部２ａ及び２ｂ，第３接続部３が通過可能な開口部２Ｈ及び３Ｈを形成しておく。【選択図】図６
2007155288.tif 000002
【特許請求の範囲】
【請求項１】
外装を形成する外装板に取り付けられ，該外装板の内側の配管及び外側の配管の各々に接続される第１接続部及び第２接続部と，配管内の冷媒の流れを制御する流れ制御手段が接続される第３接続部と，が形成された連結配管部材を具備する空気調和機の室外機であって，
前記外装板に，前記第１接続部が前記内側の配管に接続された前記連結配管部材を前記外装板の外側から見た場合における前記第２接続部及び第３接続部を併せた部分の投影形状の外縁に略沿う形状であって前記第２接続部及び第３接続部が通過可能な開口部が形成され，
前記連結配管部材の前記第１接続部に，前記開口部の外縁近傍において前記外装板にその内側から取り付けられる鍔部が一体に形成されてなることを特徴とする空気調和機の室外機。
【請求項２】
前記連結配管部材の前記第１接続部と前記内側の配管とが固着されてなる請求項１に記載の空気調和機の室外機。
【請求項３】
前記外装板の外側から見た場合における前記第２接続部及び第３接続部を併せた部分の投影形状が略直線状に伸びる形状でかつ前記開口部が同様の長孔形状であり，
前記連結配管部材の前記鍔部が前記開口部の長手方向に対して交差する方向に伸びて形成されてなる請求項１又は２のいずれかに記載の空気調和機の室外機。
【請求項４】
前記外装板における前記開口部の外縁近傍にネジ孔が形成され，
前記連結配管部材の前記鍔部に，前記ネジ孔に挿通されたネジを螺着させる螺着孔が形成されてなる請求項１〜３のいずれかに記載の空気調和機の室外機。
【請求項５】
前記連結配管部材が，１つの前記内側の配管と１つ若しくは２つの前記外側の配管とを連結して冷媒の流れを制御する二方弁若しくは三方弁を構成するものである請求項１〜４のいずれかに記載の空気調和機の室外機。
【発明の詳細な説明】
【技術分野】
【０００１】
本発明は，空気調和機の室外機に関するものであり，本体筐体部材の一部である側板に弁が取り付けられる空気調和機の室外機に関するものである。
【背景技術】
【０００２】
空気調和機は，室内において室内空気と熱交換を行う室内機と，室外において室外空気と熱交換を行う室外機とを有しており，前記室内機と前記室外機とで熱サイクル機関を構成して稼働する。
前記室外機は，通常その稼働前に例えば建造物の外壁近く等の位置に据え付けられるものである。その据え付けの際に，前記室外機の本体外装の外部から配線が内部へと引き込まれ，配線は該内部に設けられた端子板（中継端子）に接続される。同様に，外部の前記室内機から導かれた配管も前記本体外装の周囲に設けられた二方弁，三方弁に接続される。
前記二方弁及び三方弁は，前記室外機の内部に設けられた配管にろう付けなどにより固着されるものであり，これにより外部の配管と前記室外機内部の配管とを中継する連結配管部材としての役割を果たす。
【０００３】
図１は二方弁及び三方弁の構造を説明する斜視図及び夫々の方向からの正面図である。以下，図１を参照しつつ，三方弁及び二方弁の外形について説明する。尚，図１には，（ａ）〜（ｄ）各々の相対的な向きの関係把握を容易ならしめるべく，ｘｙｚ軸が記入されている。
前記二方弁２Ｖ及び三方弁３Ｖは，前記室外機内部の配管に接続される第１接続部１を有する。
また，前記三方弁３Ｖは該第１接続部１に直交する方向に沿って形成され，前記室外機外部の配管に接続される第２接続部２ａ及び２ｂを，前記二方弁２Ｖは前記第２接続部２ａのみを，夫々有する（前記二方弁２Ｖに前記第２接続部２ｂを加えたものが前記三方弁である）。これにより，前記三方弁３Ｖは２つの前記外部の配管と１つの内部の配管とを連結可能であり，前記二方弁２Ｖは１つの前記外部の配管と１つの前記内部の配管とを連結可能である。
更に，例えばバルブアクチュエータなどの，弁内における冷媒の流れを制御する流れ制御手段が接続可能な第３接続部３が形成されている。
また，前記第１接続部１には鍔部４が形成されている。従来では，前記二方弁２Ｖ及び三方弁３Ｖは，詳しくは後述するフレア台５に，前記鍔部４を介して取り付けられるのが慣例であった。
【０００４】
図２は従来例に係る空気調和機の室外機における前記二方弁及び前記三方弁の取り付け構造を表す斜視図，図３は従来例に係る空気調和機の室外機における前記二方弁及び前記三方弁の取り付け構造を表す断面図である。
以下，図２及び図３を参照しつつ，例えば特許文献１乃至３のような，従来例に係る空気調和機の室外機における前記二方弁及び三方弁の取り付け構造について説明する。
図２及び図３に示されるように，前記二方弁２Ｖ及び前記三方弁３Ｖは，前記鍔部４が前記フレア台５に対して，例えば螺子止めなどにより取り付けられる。詳しくは，前記鍔部４の両端にはネジ６を通過させるネジ孔７が設けられており，前記フレア台５には，前記二方弁２Ｖ及び前記三方弁３Ｖの各々に対する合計４つの螺着孔８が設けられている。
詳しくは後述の側板Ｙの外側から，前記ネジ６が前記ネジ孔７各々を通過した状態で，前記ネジ６を前記螺着孔８に螺着することにより，前記鍔部４が前記フレア台５に取り付けられる。
【０００５】
また，前記二方弁２Ｖ及び前記三方弁３Ｖが取り付けられた前記フレア台５は，前記室外機の外装部材の一部である側板Ｙに対して固定される。
側板Ｙには切り欠きＮが設けられている。前記切り欠きＮは，前記フレア台５の輪郭形状とほぼ同形でありかつ若干小さく設けられている。前記フレア台５は，自身が前記切り欠きＮを塞ぎ，かつ固定されている前記二方弁２Ｖ及び前記三方弁３Ｖが前記側板Ｙの外側に突出するように，前記側板Ｙに例えばネジ止めなどにより固定される。
詳しくは，前記側板Ｙにおける前記切り欠きＮの縁部には，複数の前記ネジ孔７’が設けられている。また，前記フレア台５には，自身が前記切り欠きＮを塞いだ状態で前記ネジ孔７’各々に対向する螺着孔８’が設けられている。前記フレア台５により切り欠きＮを塞いだ状態で，前記ネジ孔７’，前記螺着孔８’を貫通する図外のネジ（ネジ６と同様のものでも構わない）を占めつけることで，前記フレア台５を介して前記二方弁２Ｖ又は前記三方弁３Ｖが前記側板Ｙに固定される。
【０００６】
前記二方弁２Ｖ及び三方弁３Ｖの有する前記第１接続部１（図１参照）には，前記側板Ｙの内部に設けられている配管９が接続される。
詳しくは，前記フレア台５には，前記二方弁２Ｖ及び三方弁３Ｖが取り付けられた状態で，前記第１接続部１内部の流路を開放する配管孔１０が設けられている。前記配管孔１０は，前記配管９の外径とほぼ同形かつ該外径よりも僅かに大きく設けられる。前記配管９は，前記配管孔１０を挿通しつつ前記第１接続部１に接続され，更に両者はろう付けなどにより固着される。
【０００７】
尚，前記二方弁２Ｖ及び前記三方弁３Ｖを前記側板Ｙに直接取り付けずに，前記フレア台５を介して前記側板Ｙに間接的に取り付けていたのは，以下の理由による。
即ち，前記側板Ｙは，前記空気調和機の室外機の本体外装部材とは独立且つ別体に設けられており，例えば据え付け時若しくはメンテナンス時等においては，前記側板Ｙを前記外装部材から，図２及び図３の矢印αの方向へと取り外す必要がある。
その際に，例えば図４に示されるように，前記二方弁２Ｖ及び前記三方弁３Ｖを前記側板Ｙに直接固定したのでは，前記側板Ｙを前記矢印αの方向へと取り外す際に，前記内部の配管９に固着されている前記二方弁２Ｖ及び前記三方弁３Ｖの各部と前記側板Ｙとが干渉してしまい，前記側板Ｙを取り外すことができない。
【特許文献１】実開昭６２−４７８１８号公報
【特許文献２】実公平７−２６６１９号公報
【特許文献３】特開平９−７２５７４号公報
【発明の開示】
【発明が解決しようとする課題】
【０００８】
しかしながら，フレア台５を介して二方弁２Ｖ及び三方弁３Ｖを固定する従来例の方法では，側板Ｙに切り欠きを設ける必要があり，尚かつ前記側板Ｙとは別体且つ独立の部材である前記フレア台５を要するので，それらの部材の製造に手間を要し，更にコスト増の原因にもなっていた。
また，前記二方弁２Ｖ及び前記三方弁３Ｖの取り付けは，それらのフレア台５に対する取り付けの工程に加えて，該フレア台５の前記側板Ｙへの取り付けの工程も要するものとなるので，非常に煩雑である他，螺子などの部品点数も増加させるものであった。
また，側板Ｙに切り欠きを設ける必要があるので，側板Ｙの強度が低下し，室外機の搬送時に変形したり，運転時のビビリ音の原因にもなっていた。
このように，前記フレア台５のような構成を用いずに，前記二方弁２Ｖ及び三方弁３Ｖを直接前記側板Ｙに取り付けることが可能であり，尚かつ前記側板Ｙの取り外しにも支障がないような，前記二方弁２Ｖ及び三方弁３Ｖの取り付け方法の登場が望まれていた。
従って，本発明は上記事情に鑑みてなされたものであり，その目的とするところは，二方弁や三方弁等の，外部の配管と内部の配管とを連結させる連結配管部材を側板に直接取り付けることが可能であり，尚かつ前記側板の取り外しが可能である空気調和機の室外機を提供することにある。
【課題を解決するための手段】
【０００９】
上記目的を達成するために本発明は，外装を形成する外装板に取り付けられ，該外装板の内側及び外側の配管に各々接続される第１接続部及び第２接続部，前記配管内の冷媒の流れを制御する流れ制御手段が接続される第３接続部が形成され，更に前記第１接続部に前記外装板に内側から取り付けられる鍔部が一体的に形成されてなる連結配管部材を具備する空気調和機の室外機であって，前記外装板に，前記第１接続部が前記内側の配管に接続された前記連結配管部材を前記外装板の外側から見た場合における前記第２接続部及び第３接続部を併せた部分の投影形状の外縁に略沿う形状であり，前記第２接続部及び第３接続部が通過可能な開口部が形成されており，前記鍔部が該開口部の外縁近傍において前記外装板に取り付けられてなることを特徴とする空気調和機の室外機である。
これにより，前記連結配管部材が前記内側の配管に固着されている場合であっても，前記外装板に設けられた前記開口部を前記第２接続部及び前記第３接続部が通過可能である。つまり，前記連結配管部材を前記外装板に直接取り付けるにも拘わらず，前記外装板と前記第２接続部及び前記第３接続部とに干渉が生じず，前記外装板の取り外しが可能である。
また，従来では，前記本体外装の内部と外部とを連通させる開口の大きさは，前記連結配管部材と前記内部の配管との接続に必要最小限の大きさに，即ち前記内部の配管の外径の大きさに設けられており，これにより外部から例えば降雨に伴う水滴等，異物の侵入が防止されていた。しかし，本発明のように前記開口部を前記第２接続部及び前記第３接続部が通過可能な大きさに設けたとしても，その形状を前記第２接続部及び第３接続部を併せた部分の投影形状の外縁に略沿う形状にすることにより，前記第２接続部及び第３接続部が前記開口部を略塞ぐ形になるので，異物の侵入も極力防止することが可能である。
【００１０】
尚，前記第２接続部及び前記第３接続部の投影形状が略直線状に伸びる形状である場合には，前記開口部を長孔に設けておき，かつ前記鍔部を前記開口部の長手方向の交差方向に伸びて形成しておくのが好適である。
更に，上述の本発明の構成によれば，前記鍔部は前記外装板の内側に位置することになる。従って，前記外装板にはネジが通過可能なネジ孔を形成しておき，前記鍔部には前記ネジ孔に挿通されたネジを螺着させる螺子孔を形成しておくのが望ましい。これにより，前記外装板の外側から前記ネジを外すことが可能であり，簡単に前記外装板を取り外すことが可能である。
ところで，前記連結配管部材は，１つの前記内側の配管と１つ若しくは２つの前記外側の配管とを連結して冷媒の流れを制御する二方弁若しくは三方弁であると考えられる。
【発明の効果】
【００１１】
本発明のように，外装板に前記連結配管部材における第２接続部及び第３接続部を併せた部分の投影形状の外縁に略沿う形状，かつ前記第２接続部及び第３接続部が通過可能な開口部を形成することにより，前記連結配管部材を前記外装板に直接取り付けたにも拘わらず，前記外装板の取り外しの際に前記外装板と前記第２接続部及び前記第３接続部とが干渉することがない。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は二方弁及び三方弁の構造を説明する斜視図及び夫々の方向からの正面図，図２は従来例に係る空気調和機の室外機における二方弁及び三方弁の取り付け構造を表す斜視図，図３は従来例に係る空気調和機の室外機における二方弁及び三方弁の取り付け構造を表す断面図，図４は従来例に係る空気調和機の室外機の有する外装板に二方弁及び三方弁を取り付けた場合の構造を示す断面図，図５は本発明の一実施形態に係る空気調和機の室外機の斜視図，図６は本発明の一実施形態に係る室外機における二方弁及び三方弁の取り付け構造を表す斜視図，図７は側板に設けられた開口部の形状を説明する正面図，図８は本発明の一実施形態に係る室外機における二方弁及び三方弁の取り付け構造を表す断面図である。
尚，従来例と同様の構成については同様の符号を用いるものとする。
【００１３】
図５に示されるように，本発明の一実施形態に係る空気調和機の室外機Ａ（以下，単に室外機Ａという）は，それぞれ別体に設けられた筐体本体部材Ｘ１と側板Ｘ２（外装板の一例）との内部に様々な構成を有して概略構成される。つまり，前記筐体本体部材Ｘ１と前記側板Ｘ２とで総合して直方体状の外装部材が形成され，その外装部材の内部に配管等の様々な構成が配置される。
前記側板Ｘ２は，前記外装部材の前面（矢印Ｆで指される面）の右側から該前面の右方向の隣接面（矢印Ｌにより指される面，以下，右面Ｒ）の大部分に亘って前記室外機Ａを覆うものであり，当該室外機Ａの据え付け若しくはメンテナンス時等に，必要に応じて前記筐体本体部材Ｘ１とは独立して取り外される（図２参照）。
当該室外機Ａでは，従来例に係る空気調和機と同様に，外部の配管と内部の配管とを連結する二方弁２Ｖ及び三方弁３Ｖ（図１等参照）が用いられる。従来例ではフレア台５に前記二方弁２Ｖ及び前記三方弁３Ｖが取り付けられ，更に前記フレア台５が側板Ｙに取り付けられていたが（図２及び図３参照），当該室外機Ａでは前記フレア台５のような構成は用いられず，前記二方弁２Ｖ及び前記三方弁３Ｖは前記側板Ｘ２（外装板の一例）の前記右面Ｒの部分に対して直接的に取り付けられる。
【００１４】
以下，図６乃至図８を参照しつつ，本発明の一実施形態に係る室外機Ａにおける前記二方弁２Ｖ及び前記三方弁３Ｖの取り付け構造について説明する。尚，前記二方弁２Ｖ及び前記三方弁３Ｖの構造は従来例での説明と同様であり，ここでは説明を省略するが，必要に応じて従来例の説明及び図１を参照されたい。
まず，図６に示されるように，前記二方弁２Ｖ及び前記三方弁３Ｖは，前記側板Ｘ２が前記筐体本体部材Ｘ１より取り外された状態において，その第１接続部１に対して前記外装部材の内部に設けられている配管９が接続され，更にろう付け等により固着される。尚，この固着後の前記二方弁２Ｖ及び前記三方弁３Ｖの位置は，その第２接続部２ａ，２ｂ及び第３接続部３のみが前記外装部材の外部へと突出する位置に定められている。
また，その状態で前記側板Ｘ２が図６の矢印α１方向に沿って前記筐体本体部材Ｘ１に取り付けられるが，この取り付けの際に，固定された前記二方弁２Ｖ及び前記三方弁３Ｖ（突出している第２接続部２ａ，２ｂ及び第３接続部３）と前記側板Ｘ２とが干渉しないように，前記側板Ｘ２には以下に説明するような開口部２Ｈ，開口部３Ｈが設けられている。
前記開口部２Ｈは前記二方弁２Ｖに対応するものであり，前記開口部３Ｈは前記三方弁３Ｖに対応するものである。
【００１５】
以下，図７を参照しつつ，前記側板Ｘ２に設けられた前記開口部２Ｈ及び前記開口部３Ｈの形状について各々説明する。図７に示されるように，前記二方弁２Ｖ及び三方弁３Ｖが前記配管９に固着された後に，前記側板Ｘ２の外側から（図６の矢印α１に沿う方向に）前記二方弁２Ｖ及び三方弁３Ｖを見た場合，前記第２接続部２ａ，２ｂ及び前記第３接続部３を併せた部分の投影形状は，略直線状に伸びる形状（図７に示される直線Ｌ１に沿う形状）である。
このような形状の前記第２接続部２ａ，２ｂ及び前記第３接続部３が通過可能であるように，前記開口部２Ｈ及び前記開口部３Ｈも前記第２接続部２ａ，２ｂ及び前記第３接続部３の投射形状の外縁に略沿う形状に，つまり前記直線Ｌに沿う長孔形状に形成されている。前記側板Ｘ２が前記筐体本体部材Ｘ１に取り付けられた場合，前記二方弁２Ｖ及び前記三方弁３Ｖは，図８に示されるように，第２接続部２ａ，２ｂ及び第３接続部３のみが前記開口部２Ｈ及び３Ｈを挿通して前記側板Ｘ２の外側に突出する。
ところで，前記側板Ｘ２は，当該室外機Ａの据え付け時若しくはメンテナンス時等に取り外しがなされるものであるが，その際にも前記第２接続部２ａ，２ｂ及び第３接続部３が前記側板Ｘ２と干渉することがなく，該側板Ｘ２の取り外しが可能であるのはいうまでもない。
【００１６】
ここで，前記二方弁２Ｖ及び前記三方弁３Ｖの有する鍔部４は，前記第１接続部１から前記開口部２Ｈ及び前記開口部３Ｈの長手方向に対して交差する方向に伸びて形成されている。また，図８の断面図に示されるように，前記側板Ｘ２が前記筐体本体部材Ｘ１に取り付けられた状態では，前記鍔部４は前記開口部２Ｈ及び前記開口部３Ｈの外縁近傍において，前記側板Ｘ２にその内側から当接する。
また，前記鍔部４は前記側板Ｘ２に対して例えば螺子止めなどにより固定される。詳しくは，図６に示されるように，前記側板Ｘ２の外縁近傍にはネジ６を通過させるネジ孔７”が形成されている。更に，前記鍔部４の両端には螺着孔８”が設けられている。
図８に示されるように，前記側板Ｘ２の外側から，前記ネジ６が前記ネジ孔７”各々を通過した状態で，前記螺着孔８”に螺着することにより，前記鍔部４が前記側板Ｘ２に固定される。
以上のような前記二方弁２Ｖ及び前記三方弁３Ｖの取り付け構造によれば，従来例におけるフレア台５のような構成を用いることがなく，前記二方弁２Ｖ及び三方弁３Ｖが前記側板Ｘ２に直接的に取り付けられ，しかも前記側板Ｘ２の取り外しにも何ら支障が生じない。
【実施例】
【００１７】
上述の実施形態では，各々１つずつの二方弁２Ｖ，三方弁３Ｖが側板Ｘ２に取り付けられる例について説明したが，本発明はこれに限られるものではない。即ち各々複数個の前記二方弁２Ｖ，前記三方弁３Ｖを前記側板Ｘ２に取り付ける場合にも本発明の適用が可能である。
【図面の簡単な説明】
【００１８】
【図１】二方弁及び三方弁の構造を説明する斜視図及び夫々の方向からの正面図。
【図２】従来例に係る空気調和機の室外機における二方弁及び三方弁の取り付け構造を表す斜視図。
【図３】従来例に係る空気調和機の室外機における二方弁及び三方弁の取り付け構造を表す断面図。
【図４】従来例に係る空気調和機の室外機の有する外装板に二方弁及び三方弁を取り付けた場合の構造を示す断面図。
【図５】本発明の一実施形態に係る空気調和機の室外機の斜視図。
【図６】本発明の一実施形態に係る室外機における二方弁及び三方弁の取り付け構造を表す斜視図。
【図７】側板に設けられた開口部の形状を説明する正面図。
【図８】本発明の一実施形態に係る室外機における二方弁及び三方弁の取り付け構造を表す断面図。
【符号の説明】
【００１９】
Ａ…本発明の一実施形態に係る空気調和機の室外機
２Ｖ…二方弁
３Ｖ…三方弁
Ｘ１…筐体本体部材
Ｘ２…側板（外装板）
１…第１接続部
２ａ，２ｂ…第２接続部
３…第３接続部
４…鍔部
５…フレア台
６…ネジ
７…ネジ孔
８…螺着孔
９…内部の配管
１０…配管孔
【図１】
2007155288.tif 000003
【図２】
2007155288.tif 000004
【図３】
2007155288.tif 000005
【図４】
2007155288.tif 000006
【図５】
2007155288.tif 000007
【図６】
2007155288.tif 000008
【図７】
2007155288.tif 000009
【図８】
2007155288.tif 000010